(57)【要約】【課題】  特に集光作用により強力なビームを発生させる、LEDライトの集光装置を提供することを目的とする。【解決手段】  本考案のLEDライトの集光装置は、複数のLED（１１）が配列された回路板（１０）と、該回路板（１０）の表面に配置される集光板（２０）と、該集光板（２０）をカバーする透明ヘッドカバー（３０）とを有するLEDライトの集光装置であって、  前記集光板（２０）における、回路板（１０）側と反対する側に複数の穴部（２１）が形成され、該各穴部（２１）の最上面は同一平面となるように構成されると共に、底面にはそれぞれ前記LED（１１）を挿設するための貫通孔（２２）が形成され、また、前記透明ヘッドカバー（３０）に密封プレート（３１）が穴部（２１）と隣接するように設けられることを特徴とする。【選択図】  図２
0003111807.tif 000002
【実用新案登録請求の範囲】
【請求項１】
複数のLED（１１）が配列された回路板（１０）と、該回路板（１０）の表面に配置される集光板（２０）と、該集光板（２０）をカバーする透明ヘッドカバー（３０）とを有するLEDライトの集光装置であって、
前記集光板（２０）における、回路板（１０）側と反対する側に複数の穴部（２１）が形成され、該各穴部（２１）の最上面は同一平面となるように構成されると共に、底面にはそれぞれ前記LED（１１）を挿設するための貫通孔（２２）が形成され、また、前記透明ヘッドカバー（３０）に密封プレート（３１）が穴部（２１）と隣接するように設けられることを特徴とするLEDライトの集光装置。
【請求項２】
前記密封プレート（３１）における、前記各穴部（２１）と対応する位置にそれぞれ集光が可能な凸レンズが設けられることを特徴とする請求項１に記載のLEDライトの集光装置。
【考案の詳細な説明】
【技術分野】
【０００１】
本考案は、特に集光作用により強力なビームを発生させる、LEDライトの集光装置に関するものである。
【背景技術】
【０００２】
一般にLEDライトは、省エネで寿命が長いという特性を有すると共に、一般の電球のように不活性ガスも用いないことから、廃棄がし易いので、環境保護に適したものであると言える。また、LEDライトは、集光作用を有する照明灯と、光拡散効果を有する指示灯や警告灯の２種類が有り、前者の集光作用を有するタイプは、優れた照明効果を有することから、例えば懐中電灯や車両のヘッドライトなどに用いられ、一方、後者の光拡散効果を有するタイプは、光線に一定の広がりを持つことから、例えば車両のテールランプや方向指示器などに用いられる。
【０００３】
以下、現有の集光式LEDライトに用いる集光装置について説明する。
図５乃至図７に示すように、現有の集光式LEDライトの集光装置は、カバー体（４０）と、該カバー体（４０）内の一側に設けられ、複数のLED（４４）が挿設される回路板（４１）と、該回路板（４１）の表面に配置される集光レンズカバー（４２）と、該集光レンズカバー（４２）をカバーするヘッドカバー（４３）を有し、該回路板（４１）上におけるLED（４４）を、集光レンズカバー（４２）内に位置させ、該集光レンズカバー（４２）を、LED（４４）を周回するように碗状に形成することにより、LED（４４）の光線を前方に投射する。
【０００４】
また、図８に示すように、他の集光式LEDライトの集光装置は、回路板（５１）及びヘッドカバー（５２）以外に、該回路板（５１）の表面に固設されるベース（５３）と、該ベース（５３）上に固定され、LED（５４）をカバーする複数の集光レンズカバー（５５）とを有するものである。
【考案の開示】
【考案が解決しようとする課題】
【０００５】
しかしながら、前記図７に示す集光装置は、光線を前方へ投射することはできるが、集光レンズカバー（４２）の両側の湾曲部が短いことから、LED（４４）を完全にカバーすることができないので、LED（４４）の光エネルギーが両側から散乱してしまうと共に、図６に示すように、この集光装置によれば、集光レンズカバー（４２）とヘッドカバー（４３）との間に一定の距離があるため、LED（４４）の光線が集光レンズカバー（４２）とヘッドカバー（４３）との間で散乱してしまう。また、図８に示す集光装置は、集光レンズカバー（５５）が円筒状であるため、集光効果に優れないと共に、該集光レンズカバー（５５）は透明材質から成るので、光線の一部が両側から散乱してしまい、更に、前方へ向う光線は集光レンズカバー（５５）を透過した後、ヘッドカバー（５２）を透過してから投射されるので、光エネルギーの損耗が激しく、その上、このタイプの集光装置は、部材数が多いので、製造コストも増大してしまう。
【課題を解決するための手段】
【０００６】
請求項１に記載の考案は、複数のLED（１１）が配列された回路板（１０）と、該回路板（１０）の表面に配置される集光板（２０）と、該集光板（２０）をカバーする透明ヘッドカバー（３０）とを有するLEDライトの集光装置であって、
前記集光板（２０）における、回路板（１０）側と反対する側に複数の穴部（２１）が形成され、該各穴部（２１）の最上面は同一平面となるように構成されると共に、底面にはそれぞれ前記LED（１１）を挿設するための貫通孔（２２）が形成され、また、前記透明ヘッドカバー（３０）に密封プレート（３１）が穴部（２１）と隣接するように設けられることを特徴とするLEDライトの集光装置である。
請求項２に記載の考案は、前記密封プレート（３１）における、前記各穴部（２１）と対応する位置にそれぞれ集光が可能な凸レンズが設けられることを特徴とする請求項１に記載のLEDライトの集光装置である。
【考案の効果】
【０００７】
本考案は上記の課題を解決するものであり、複数のLEDが配列された回路板と、該回路板の表面に配置される集光板と、該集光板をカバーする透明ヘッドカバーとを有するLEDライトの集光装置であって、前記集光板における、回路板側と反対する側に複数の穴部が形成され、該各穴部の最上面は同一平面となるように構成されると共に、底面にはそれぞれ前記LEDを挿設するための貫通孔が形成され、また、前記透明ヘッドカバーに密封プレートが穴部と隣接するように設けられる構成であるので、次に示すような効果を有する。
１．集光板における各穴部の最上面は同一平面となるように構成され、それらはヘッドカバーにおける密封プレートと隣接するように組合されるので、優れた集光効果を得ることができ、且つ両側から散乱してしまうこともない。
２．集光板は一体式の構成であることから、全体の部材数が少なくなるので、組立てが非常に簡単で、且つ低コスト化も達成することができる。
【考案を実施するための最良の形態】
【０００８】
以下、添付図面を参照して本考案の好適な実施の形態を詳細に説明する。
【０００９】
図１は本考案に係る集光装置をLEDライトに組み込んだ状態を示す斜視図であり、図２は本考案に係るLEDライトの集光装置の分解斜視図であり、図３は本考案に係るLEDライトの集光装置の分解断面図であり、図４は本考案に係るLEDライトの集光装置の断面図である。
【００１０】
図１に示すように、本考案のLEDライトの集光装置は、複数のLED（１１）が配列された回路板（１０）と、該回路板（１０）の表面に配置される集光板（２０）と、該集光板（２０）をカバーする透明ヘッドカバー（３０）とを有し、図２乃至図４に示すように、前記回路板（１０）とLED（１１）とは、現有の集光装置と同様に配線により接続され、該回路板（１０）の表面には集光板（２０）が配置される。更に、該集光板（２０）における、回路板（１０）側と反対する側に各LED（１１）と対応する複数の碗状の穴部（２１）が形成され、該穴部（２１）の底面にはそれぞれ前記LED（１１）を挿設するための貫通孔（２２）が形成される。また、前記透明ヘッドカバー（３０）は、集光板（２０）側に開口を有するカバー部材であり、その内部の開口と異なる側に密封プレート（３１）が設けられると共に、該密封プレート（３１）における、各LED（１１）と対応する位置に集光用の凸レンズが設けられる。
【００１１】
また、図４からも分かるように、前記透明ヘッドカバー（３０）により集光板（２０）をカバーする時には、透明ヘッドカバー（３０）の密封プレート（３１）が集光板（２０）の該穴部（２１）に隣接するので、LED（１１）の光線は碗状の穴部（２１）を介して集光された後、ヘッドカバー（３０）における密封プレート（３１）から投射される。故に、本考案のLEDライトの集光装置は、光線の散乱を防止して、優れた照明効果を達成できると共に、集光板（２０）を一体式の構成とすることにより、組立が簡単になるので、低コスト化を図ることができる。
【図面の簡単な説明】
【００１２】
【図１】本考案に係る集光装置をLEDライトに組み込んだ状態を示す斜視図である。
【図２】本考案に係るLEDライトの集光装置の分解斜視図である。
【図３】本考案に係るLEDライトの集光装置の分解断面図である。
【図４】本考案に係るLEDライトの集光装置の断面図である。
【図５】従来の集光装置をLEDライトに組み込んだ状態を示す斜視図である。
【図６】従来の集光装置の平面断面図である。
【図７】従来の集光装置の側面断面図である。
【図８】従来の他の集光装置の分解斜視図である。
【符号の説明】
【００１３】
１０        回路板
１００      カバー体
１１        LED
２０        集光板
２１        穴部
２２        貫通孔
３０        ヘッドカバー
３１        密封プレート
４０        カバー体
４１        回路板
４２        集光レンズカバー
４３        ヘッドカバー
４４        ＬＥＤ
５１        回路板
５２        ヘッドカバー
５３        ベース
５４        ＬＥＤ
５５        集光レンズカバー
【図１】
0003111807.tif 000003
【図２】
0003111807.tif 000004
【図３】
0003111807.tif 000005
【図４】
0003111807.tif 000006
【図５】
0003111807.tif 000007
【図６】
0003111807.tif 000008
【図７】
0003111807.tif 000009
【図８】
0003111807.tif 000010